(57)【要約】      （修正有）【課題】粘着テープを使用したロール式掃除具のゴミ付着部を、容易に直線状に切り取ることができ、次の剥がし口を容易に作成することができるロール式掃除具用のカッターを提供する。【解決手段】ロール式掃除具用のカッター１は、ロール式掃除具用のカッター１を手に持つための握り部２を有し、ロール式掃除具用のカッター１の先端にはロール式掃除具のロールを切り取る為の直線状の刃付け部４を有し、握り部２と刃付け部４の間には刃付け部４をしっかりと固定するための押さえ部３を有していると共に、ロール式掃除具のロール紙を切り取る際に、刃付け部４を当てた位置がずれないように固定するストッパー部５を設けたことを特徴とする。【選択図】図１
0003200857.tif 000002
【実用新案登録請求の範囲】
【請求項１】
手に持つための握り部２を有し、先端には直線状の刃付け部４を有し、握り部２と刃付け部４の間に押さえ部３を有していることを特徴とするロール式掃除具用のカッター。
【請求項２】
刃付け部４をロール式掃除具１０に当てた位置がずれないようにするスットッパー部５を設けたことを特徴とする請求項１記載のロール式掃除具用のカッター。
【考案の詳細な説明】
【技術分野】
【０００１】  本考案は、粘着テープを使用したロール式掃除具のゴミ付着部を、容易に直線状に切り取ることができ、次の剥がし口を容易に作成することができるロール式掃除具用のカッターに関するものである。
【背景技術】
【０００２】  従来、２枚の方形薄板が断面逆Ｌ形に弾力を有して結合されたフレームと、その略水平方向薄板の先端縁に設けられた鋸歯と、鋸歯に近接して水平方向薄板の下面に設けられた突片とを有する粘着テープ切断具と、把手とアームとロール芯と粘着テープを巻き付けた中空ロールとを有する清掃具本体とからなり、フレームの垂直方向薄板の先端がアームに固着され、鋸歯が中空ロールと間隔を置いてその中心軸部の上方に位置するように中空ロールの全幅にわたって配設されている粘着テープ切断具を備えたロール式清掃具（特許文献１）が知られていた。
【先行技術文献】
【特許文献】
【０００３】
【特許文献１】登録実用新案  第３０６１８７７号
【考案の概要】
【考案が解決しようとする課題】
【０００４】  従来のロール式掃除具は、ロール式掃除具に粘着テープ切断具を固定されて一体化した構造であるので、図５で示すような現在一般に店頭で販売されている汎用のロール式掃除具を利用できないといった課題を有すると共に、構造が複雑であり、故障もしやすいといった課題を有し、汚れた粘着テープをカットする位置が決められているので、汚れた粘着テープのカットする位置を所定の位置に位置調整しながら固定してカットする必要があるので、汚れた粘着テープをカットする方法が難しいといった課題を有するのである。
本考案はこれらの課題を解決するためになされたものである。
【課題を解決するための手段】
【０００５】  本考案のロール式掃除具用のカッター１は、ロール式掃除具用のカッター１を手に持つための握り部２を有し、ロール式掃除具用のカッター１の先端にはロール式掃除具１０のロールを切り取る為の直線状の刃付け部４を有し、握り部２と刃付け部４の間には刃付け部４をしっかりと固定するための押さえ部３を有していることを特徴とする。【０００６】  又、本考案のロール式掃除具用のカッター１は、刃付け部４をロール式掃除具１０のロールを切り取る際に、刃付け部４を当てた位置がずれないように固定するスットッパー部４を設けたことを特徴とする。
【考案の効果】
【０００７】  本考案のロール式掃除具用のカッター１を用いれば、ロール式掃除具用のカッター１はロール式掃除具１０とは別体であり、独立した構造のロール式掃除具用のカッター１であるので、図５で示すような現在一般に店頭で販売されている汎用のロール式掃除具１０と併用することが可能であるといった効果を有するのである。【０００８】  また、本考案のロール式掃除具用のカッター１は構造が簡単で可動する部分がないので故障することがないといった効果を有すると共に、構造が簡単なのでロール式掃除具用のカッター１を安価に提供できるといった効果を有する。【０００９】  さらには、汚れた粘着テープをカットする位置は目視で確認して適当な位置でカットすれば良いので、カットする方法が簡単であるといった効果を有すると共に、直線状の刃付け部４により汚れた紙片を切り取るので、切り取る際には思いどおりの場所を直線できれいに切り取れるといった効果を有する。【００１０】  さらには、ロール式掃除具１０のゴミの付着した紙片を切り取る際に次の剥がし口を作成することができるので、次にロール式掃除具１０を使用した後にゴミの付着した紙片を切り取る際には、汚れた紙片の剥がし口を見つけるのが容易であるといった効果を有する。【００１０】  さらには、ストッパー部５を設けたことで、切り取り位置がずれにくく、思い通りの場所で切り取ることができるといった効果を有するのである。
【図面の簡単な説明】
【００１１】
【図１】  ロール式掃除具用のカッターの外観斜視図
【図２】  鋸歯状刃を有するカッターの外観斜視図
【図３】  押さえ部の別の例を示す外観斜視図
【図４】  カッターの使用方法の説明図
【図５】  販売されているロール式掃除用具の一例図
【考案を実施するための形態】
【００１２】  以下、本考案のロール式掃除具用のカッターについて図面を参照して詳細に説明する。
【００１３】  図１は、ロール式掃除具用のカッターの外観斜視図、図２は鋸歯状刃を有するカッターの外観斜視図、図３は押さえ部の別の例を示す外観斜視図、図４はカッターの使用方法の説明図、図５は販売されているロール式掃除具の一例図、である。
【００１４】  現在販売されているロール式掃除具１０は、回転部１２に粘着ロール１１をセットし、アーム１３を介して形成されている把手１４を手に持ち、床や絨毯等の細かなゴミのある部分に粘着ロール１１を押し当てて転がすことにより、細かなゴミは粘着ロール１１の粘着面であるゴミ付着面６にくっついて掃除ができるのである。
【００１５】  本考案のロール式掃除具用のカッターの構造を、図１を参照して説明すれば、
（イ）ロール式掃除具用のカッター１を手に持つための握り部２を有し、ロール式掃除具  用のカッター１の先端にはロール式掃除具１０のロールを切り取る為の直線状の刃付け  部４を有し、握り部２と刃付け部４の間には刃付け部４を指でしっかりと固定するため  の押さえ部３を有している。
（ロ）又、本考案のロール式掃除具用のカッター１は、ロール式掃除具１０のロールを切  り取る際には刃付け部４をロール式掃除具１０のロール部分に押し当てるが、ロールを  切り取る際に刃付け部４を押し当てた位置がずれないように固定するスットッパー部４  を設けても良い。
【００１６】  さらには、図１のロール式掃除具用のカッターでは、刃付け部４は直線状の刃を有しているが、刃付け部４は図２で示すように、ギザギザの鋸歯状の形状とすることにより、粘着ロール１１の切断を容易にすることができるのである。
【００１７】  さらに図３の例では押さえ部３を別の形状にすると共に、ストッパー部５を有さない例であり、このような形状としてもロール式掃除具用のカッターとして機能するのである。
【００１８】  本考案のロール式掃除具用のカッターの使用方法を図４を参照して説明すると、
（イ）ロール式掃除具１０にて掃除をした後、使用済みのごみ付着面６が汚れたロールの  紙片を剥がして切り取る際、汚れたゴミ付着面６の紙片の剥がし口７を探し出して指で  つまみ上げ、ロール紙を新しいゴミ付着面６と汚れたゴミ付着面６との境まで剥し、剥  がした汚れた粘着紙片を新しい粘着紙片の側へ折り返して折り込み部８を形成し、ロー  ル式掃除具用のカッター１の握り部２を握り、５ｍｍ程度の幅で折り込み部８を形成す  るように刃付け部４をロール紙に当て、押さえ部３を親指等で押さえながら刃付け部４  に沿って紙片をロール紙の一端側から持ち上げるようにカットすれば良い。
（ロ）形成した折り込み部８は筒状に形成されているので、汚れた粘着紙片を切り取った  後に残ったおよそ５ｍｍ幅の折り込み部８の部分を刃付け部４で押さえ付けてなめるよ  うにロール紙の一端からなぞることにより、次の剥がし口７が手を汚さず容易に形成で  きるのである。
（ハ）ストッパー部５は、ロール式掃除具用のカッター１で汚れた粘着紙片を切り取る際  に、刃付け部４を固定する位置が安定しない場合にストッパー部５をロール紙に押さえ  付けることにより、刃付け部４の位置が固定されて、ロール紙の汚れた粘着紙片の切取  りが容易になるのである。
（ニ）ロール式掃除具１０を使用してゴミ付着面６が汚れたらロール式掃除具用のカッタ  ー１を使用して前記（イ）（ロ）を繰り返せば良いのである。
【００１９】  本考案のロール式掃除具用のカッターを用いることにより、ロール式掃除具用のカッター１はロール式掃除具１０とは別体であり、独立した構造のロール式掃除具用のカッター１であるので、現在一般に店頭で販売されている汎用のロール式掃除具１０を購入してきて併用することが可能であるので、本考案のロール式掃除具用のカッター１のみを準備すれば良いのである。
【００２０】  また、本考案のロール式掃除具用のカッター１は、握り部２と押さえ部３、刃付け部４のみの構造であり、ストッパー部５を採用したとしても構造が簡単で可動する部分がないので故障することがなく、構造が簡単なのでロール式掃除具用のカッター１を安価に提供できるのである。
【００２１】  さらには、汚れた粘着テープをカットする位置は目視で確認して適当な位置でカットすれば良いので、カットする方法が簡単であると共に、直線状の刃付け部４により折り込み部８を作成しながら汚れたロール紙片を切り取るので、切り取る際には思いどおりの場所を直線状できれいに切り取ることができるのである。
【００２２】  さらには、ロール式掃除具１０のゴミの付着した紙片を切り取る際に次の剥がし口７を作成することができるので、次にロール式掃除具１０を使用した後にゴミの付着した紙片を切り取る際には、汚れた紙片の剥がし口７を見つけるのが容易である。
【００２３】  さらには、ストッパー部５を設けたことで、切り取り位置がずれにくく、思い通りの場所で切り取ることができるのである。
【符号の説明】
【００２４】  １  カッター
２  握り部
３  押さえ部
４  刃付け部
５  ストッパー部
６  ゴミ付着面
７  剥がし口
８  折り込み部
１０  ロール式掃除具
１１  粘着ロール
１２  回転部
１３  アーム
１４  把手
【図１】
0003200857.tif 000003
【図２】
0003200857.tif 000004
【図３】
0003200857.tif 000005
【図４】
0003200857.tif 000006
【図５】
0003200857.tif 000007
【手続補正書】
【提出日】平成27年8月5日(2015.8.5)
【手続補正１】
【補正対象書類名】実用新案登録請求の範囲
【補正対象項目名】請求項２
【補正方法】変更
【補正の内容】
【請求項２】
刃付け部４をロール式掃除具１０に当てた位置がずれないようにするストッパー部５を握り部２と押さえ部３の間に折り曲げた形状で設けたことを特徴とする請求項１記載のロール式掃除具用のカッター。
【手続補正２】
【補正対象書類名】明細書
【補正対象項目名】０００６
【補正方法】変更
【補正の内容】
【０００６】  又、本考案のロール式掃除具用のカッター１は、刃付け部４をロール式掃除具１０のロールを切り取る際に、刃付け部４を当てた位置がずれないように固定するストッパー部５を握り部２と押さえ部３の間に折り曲げた形状で設けたことを特徴とする。
【手続補正３】
【補正対象書類名】明細書
【補正対象項目名】００１５
【補正方法】変更
【補正の内容】
【００１５】  本考案のロール式掃除具用のカッターの構造を、図１を参照して説明すれば、
（イ）ロール式掃除用具のカッター１を手に持つための握り部２を有し、ロール式掃除具用のカッター１の先端にはロール式掃除具１０のロールを切り取る為の直線状の刃付け部４を有し、握り部２と刃付け部４の間には刃付け部４を指でしっかりと固定するための押さえ部３を有している。
（ロ）又、本考案のロール式掃除具用のカッター１は、ロール式掃除具１０のロールを切り取る際には刃付け部４をロール式掃除具１０のロール部分に押し当てるが、ロールを切り取る際に刃付け部４を押し当てた位置がずれないように固定するストッパー部５を握り部２と押さえ部３の間に折り曲げた形状で設けても良い。
【手続補正４】
【補正対象書類名】明細書
【補正対象項目名】００１８
【補正方法】変更
【補正の内容】
【００１８】  本考案のロール式掃除具用のカッターの使用方法を図４を参照して説明すると、
（イ）ロール式掃除具１０にて掃除をした後、使用済みのごみ付着面６が汚れたロールの紙片を剥がして切り取る際、汚れたゴミ付着面６の紙片の剥がし口７を探し出して指でつまみ上げ、ロール紙を新しいゴミ付着面６と汚れたゴミ付着面６との境まで剥し、剥がした汚れた粘着紙片を新しい粘着紙片の側へ折り返して折り込み部８を形成し、ロール式掃除具用のカッター１の握り部２を握り、５ｍｍ程度の幅で折り込み部８を形成するように刃付け部４をロール紙に当て、押さえ部３を親指等で押さえながら刃付け部４に沿って紙片をロール紙の一端側から持ち上げるようにカットすれば良い。
（ロ）形成した折り込み部８は筒状に形成されているので、汚れた粘着紙片を切り取った後に残ったおよそ５ｍｍ幅の折り込み部８の部分を刃付け部４で押さえ付けてなめるようにロール紙の一端からなぞることにより、次の剥がし口７が手を汚さず容易に形成できるのである。
（ハ）ストッパー部５は、ロール式掃除具用のカッター１で汚れた粘着紙片を切り取る際に、刃付け部４を固定する位置が安定しない場合に、刃付け部４を固定した後にストッパー部５をロール紙に押さえ付けることにより、刃付け部４とストッパー部５の二点支持により刃付け部４の位置が固定されて、ロール紙の汚れた粘着紙片の切取りが容易になるのである。
（ニ）ロール式掃除具１０を使用してゴミ付着面６が汚れたらロール式掃除具用のカッター１を使用して前記（イ）（ロ）を繰り返せば良いのである。